(57)【特許請求の範囲】
【請求項１】
孔を備えたバッフルアーム（１０２）と、バッフルマニホルド（１０１）とを有し、前記バッフルマニホルドは、前記孔を貫通して延び且つ前記バッフルアームに対する前記バッフルマニホルドの回転を可能にするセグメント（１０５）を有する、ガラス製品成形機用バッフルアーム組立体（１００）において、
前記バッフルマニホルドは、
ねじ山なしナット（２１０又は３１０）、及び前記ねじ山なしナットと前記バッフルマニホルドセグメントとの間の差し込み形連結部によって前記バッフルアームに取り付けられ、
前記ねじ山なしナット及び前記差し込み形連結部は、前記バッフルマニホルドを前記バッフルアームに取り付ける迅速脱着装置を構成し、
前記バッフルマニホルドセグメントは、複数の出張り（１０７）を備えた植込みボルト（１０６）を有し、
前記ねじ山なしナットは、周方向に間隔を置いて配置され、且つ、前記ねじ山なしナットが前記植込みボルトに結合されるとき、前記植込みボルト出張りの後ろに位置決め可能な複数の並進保持出張り（２５４又は３５４）を有し、
周方向に間隔を置いて配置され、且つ、前記並進保持出張りに隣接して位置決めされた複数の回転保持出張り（２５６又は３５６）を有し、前記回転保持出張りは、前記回転保持出張りが前記植込みボルト出張りと軸方向にオーバーラップするよう前記植込みボルト出張りに隣接して位置決め可能であり、
前記並進保持出張り及び前記回転保持出張りは、前記植込みボルト出張りを受け入れる受座を構成すると共に前記受座相互間に周方向に位置していて、前記植込みボルト出張りを通過させることができる通路を構成し、
前記回転保持出張りは、前記植込みボルト出張りに対して軸方向に動くことができ、且つ、前記回転保持出張りを前記植込みボルト出張りに対して軸方向に動かして前記植込みボルト出張りを軸方向に通過させると、前記植込みボルト出張りに対して回転可能に動くことができ、
前記バッフルアーム組立体（１００）は、
軸方向に延びる壁（２２０、３２０）および半径方向に延びる壁（２３４、３３４）を含むカラー（２１２、３１２）と、
前記カラーに結合され、前記周方向に間隔を置いて配置された回転保持出張り（２５４又は３５４）を支持した部分を含むロック（２１４、３１４）と、
前記カラーと前記ロックとの間に設けられたばね（２１６、３１６）と、を更に有する
バッフルアーム組立体。
【請求項２】
前記差し込み形連結部は、前記ばね（２１６又は３１６）であって、該ばねは、前記ねじ山なしナットのばねが圧縮されないとき、前記バッフルマニホルドセグメントに対する前記ねじ山なしナットの回転に抵抗するよう前記ねじ山なしナットを前記バッフルマニホルドセグメントに対して付勢する前記ばね（２１６又は３１６）を含む、請求項１記載のバッフルアーム組立体。
【請求項３】
前記ロック（２１４）は、前記周方向に間隔を置いて設けられた並進保持出張りを支持した部分を有する、請求項１又は２記載のバッフルアーム組立体。
【請求項４】
前記ねじ山なしナットは、前記半径方向に延びる壁から半径方向内方に延びる前記周方向に間隔を置いて設けられた並進保持出張り（３５４）を前記備えたカラー（３１２）と、
前記カラーに結合された前記ロック（３１４）であって、該ロックは、休止位置において前記並進保持出張りに隣接して位置決めされると共に軸方向にオーバーラップする前記周方向に間隔を置いて設けられた回転保持出張り（３５６）を支持した部分を有し、前記ロックは、前記回転保持出張りが前記並進保持出張りに軸方向に整列するよう前記カラーに対して軸方向に動くことができる前記ロック（３１４）を更に有する、請求項１又は２記載のバッフルアーム組立体。
【発明の詳細な説明】
【技術分野】
【０００１】
本発明は、ガラス製品成形機用バッフルアーム組立体、特にバッフルマニホルドをガラス製品成形機用バッフルアームに取り付けるためのねじ山なしナットに関する。
【背景技術】
【０００２】
工具駆動式ねじ山付き締結具（ねじ部品）、例えばナット及びボルトは、産業界においてどこにでも見受けられる。かかる締結具は、弛み状態になる場合があるので組み立て及び分解のための工具の使用及び／又は締め付け不足又は締め付け過剰を阻止するためのトルクモニタ機器を必要とする場合がある。ねじ山付きナット及び植込みボルトの例示の一使用例が米国特許出願公開第２００８／０１８４７４２号明細書に示されており、この米国特許出願公開は、バッフルマニホルドの植込みボルトに螺着されるナットを含むガラス製品製造装置に関し、植込みボルトは、バッフルアームのカラーを貫通して延びる。バッフルマニホルドをバッフルアームに結合する他のやり方としては、ねじ山付き又はねじ山なしクランプカラー及びマニホルド植込みボルトにピン留めされるバッフルカラーの使用が挙げられる。しかしながら、かかるやり方でも、組み立て及び分解のために工具が必要である。
【発明の概要】
【発明が解決しようとする課題】
【０００３】
本発明の一般的な目的は、本発明の一側面によれば、ガラス製品成形機のバッフルマニホルドをバッフルアームに取り付けるために工具又はトルクモニタ機器の使用を必ずしも必要としないねじ山なしナットを提供することにある。
【課題を解決するための手段】
【０００４】
本発明は、互いに別々に又は互いに組み合わせて実施できる多くの側面を有する。
【０００５】
本発明の一側面によれば、ガラス製品成形機のバッフルマニホルドをバッフルアームに取り付ける迅速脱着装置は、孔を備えたバッフルアームと、バッフルマニホルドとを有し、バッフルマニホルドは、孔を貫通して延び且つバッフルアームに対するバッフルマニホルドの回転を可能にするセグメントを有する。迅速脱着装置は、ねじ山なしナットを更に有し、ねじ山なしナットとバッフルマニホルドセグメントとの間には差し込み形連結部が設けられる。
【０００６】
本発明の内容は、本発明の追加の目的、特徴、利点及び観点と共に、以下の説明、特許請求の範囲の記載及び添付の図面から最も良く理解されよう。
【図面の簡単な説明】
【０００７】
【図１】本発明の第１の例示の実施形態に従ってねじ山なし植込みボルトとねじ山なしナットとの間のねじ山なし連結具を含むバッフルアーム組立体の前から見た斜視図である。
【図２】図１のねじ山なしナットの上から見た拡大部分斜視図である。
【図３】図１のバッフルアーム組立体の一部分の拡大部分分解組立斜視図である。
【図４】図１のバッフルアーム組立体の例示のねじ山なし植込みボルトの上から見た拡大部分斜視図である。
【図５】図１のバッフルアーム組立体のねじ山なし植込みボルトの拡大平面図である。
【図６】図１のバッフルアーム組立体のねじ山なし植込みボルトの拡大部分側面図である。
【図７】図１のねじ山なしナットの拡大斜視図である。
【図８】図１のねじ山なしナットの拡大分解組立斜視図である。
【図９】図１のねじ山なしナットのカラーの拡大斜視図である。
【図１０】図９の１０‐１０線に沿った図１のカラーの断面図である。
【図１１】図１のねじ山なしナットのキャップの拡大斜視図である。
【図１２】図１１に示されたキャップの平面図である。
【図１３】図１２の１３‐１３線に沿った図１１に示されているキャップの断面図である。
【図１４】図１のねじ山なしナット及び植込みボルトの拡大平面図である。
【図１５】図１４の１５‐１５線に沿った図１のねじ山なしナットの断面図である。
【図１６】図１４の１６‐１６線に沿った図１のねじ山なしナットの断面図である。
【図１７】本発明の例示の第２の実施形態としてのねじ山なしナットの上から見た斜視図である。
【図１８】図１７のねじ山なしナットの分解組立斜視図である。
【図１９】図１７のねじ山なしナットのカラーの上から見た斜視図である。
【図２０】図１９に示されたカラーの下から見た斜視図である。
【図２１】図１９に示されたカラーの平面図である。
【図２２】図２１の２２‐２２線に沿った図１９に示されているカラーの断面図である。
【図２３】図２１の２３‐２３線に沿った図１９に示されているカラーの断面図である。
【図２４】図１７のねじ山なしナットのキャップの斜視図である。
【図２５】図２４に示されたキャップの側面図である。
【図２６】図２５の２６‐２６線に沿った図２４に示されているキャップの断面図である。
【図２７】図１７のねじ山なしナットの下から見た斜視図である。
【図２８】図４のねじ山なし植込みボルトに取り付けられた状態で示されている図１７のねじ山なしナットの部分平面図である。
【図２９】図２８の２９‐２９線に沿った図２８のねじ山なしナット及び植込みボルトの断面図である。
【図３０】図２８の３０‐３０線に沿った図２８のねじ山なしナット及び植込みボルトの断面図である。
【図３１】図２８の３１‐３１線に沿った図２８のねじ山なしナット及び植込みボルトの断面図である。
【図３２】図２８の３２‐３２線に沿った図２８のねじ山なしナット及び植込みボルトの断面図である。
【図３３】図２９の図に類似した図２８のねじ山なしナット及び植込みボルトの断面図であり、植込みボルトから取り外されたナットを示す図である。
【発明を実施するための形態】
【０００８】
図１は、以下に詳細に説明する本発明の特徴を除き、米国特許出願公開第２００８／０１８４７４２号明細書に開示されているガラス製品成形機とほぼ同じであるのが良いガラス製品成形機のバッフルアーム組立体１００を示している。組立体１００は、バッフルアーム１０２及びリンクアーム１０３の端部から吊り下げられたバッフルホルダマニホルド１０１を含む。バッフルアーム１０２は、孔を構成するカラー１０４を有し、マニホルド１０１のセグメント１０５がこの孔を貫通して延びている。セグメント１０５は、バッフルアーム１０２に対するバッフルマニホルド１０１の回転を可能にするようカラー１０４の孔内で回転可能である。
【０００９】
図２は、バッフルマニホルド１０１をバッフルアーム１０２に取り付ける迅速脱着装置を示している。例えば、本発明の第１の例示の実施形態としてのねじ山なしナット２１０がマニホルド１０１をバッフルアーム１０２に結合するようセグメント１０５に固定されている。以下に詳細に説明するように、ナット２１０は、差し込み形連結部によりセグメント１０５に結合されるのが良い。カラー１０４は、カラー１０４に対するマニホルドセグメント１０５及びねじ山なしナット２１０の回転を容易にするブッシュ、支承体等（図示せず）を更に有するのが良い。図３に示されているように、セグメント１０５は、カラー１０４の上面を越えて延びてねじ山なしナット２１０に結合されるねじ山なし植込みボルト１０６を有する。（本明細書で用いられる「頂」、「底」、「前側」、「後側」、「〜の後ろ」、「上方」、「下方」、「半径方向」、「周方向」、「側方」、「長手方向」、「横方向」、「垂直」、「水平」等という方向を表す用語は、説明の目的で用いられており、必ずしも本発明を限定するものではない。）
【００１０】
図４〜図６を参照すると、植込みボルト１０６は、２つ又は３つ以上の周方向に間隔を置いて設けられた出張り又はラグ１０７を有している。出張り１０７は、端面１０８、側面１０９及び端面と側面との間の丸み１１０を有するのが良い。端面１０８は、形状が外方に湾曲しているのが良く且つ植込みボルト１０６の大きい方の直径を定めるのが良い。側面１０９も又、外方に湾曲しているのが良く且つ植込みボルト１０６の小直径外周部１１１（図６）の軸方向延長部であるのが良い。丸み１１０は、内方に湾曲しているのが良く且つ植込みボルト１０６の端面１０８と側面１０９との間の滑らかな移行部を構成するのが良い。図示のように、植込みボルト１０６は、ナット２００の良好な組み立てを促進するよう面取りされるのが良い。例えば、植込みボルト１０６は、頂面１１２と端面１０８との間及び端面１０８と丸み１１０との間が面取りされているのが良い。セグメント１０５及び植込みボルト１０６の任意他の適当な形態を使用することができる。例えば、図示の植込みボルト１０６は、２つの直径方向反対側の出張り１０７を有しているが、植込みボルトは、３つ又は４つ以上の周方向に間隔を置いて設けられた出張りを有しても良い。
【００１１】
次に図７及び図８を参照すると、ナット２１０は、主要構成要素として、長手方向軸線Ａ、カラー２１２及びカラー２１２によって任意適当な仕方で支持されたキャップ又はロック２１４を有する。例えば、ロック２１４は、回転的に固定されるが軸方向に動くことができる仕方でカラー２１２に結合されている。ナット２１０は、全体として円筒形の器具であるのが良く、カラー２１２及びロック２１４は、全体として円筒形の構成部品であるのが良い。図８に示されているように、ナット２１０は、カラー２１２とロック２１４を全体として互いに遠ざかる方向に付勢するばね２１６及びロック２１４をカラー２１２に当接保持するリテーナ２１８を更に有する。ナット２１０を組み立てるためには、ばね２１６をカラー２１２とロック２１４との間に配置し、ロック２１４をばね２１６及びカラー２１２に押し付け、ロック２１４をカラー２１２に押し付けている状態でリテーナ２１８をロック２１４に結合する。リテーナ２１８をいったんロック２１４に結合すると、ロック２１４に加えられている圧縮力を除くのが良い。かくして、ナット２１０は、自蔵式組立体であるのが良い。
【００１２】
全体として図８〜図１０を参照すると、カラー２１２は、第１の端２２２と第２の端２２４との間で軸方向に延びている軸方向に延びた壁２２０及び壁２２０により包囲された段付き通路２２６を有する。通路２２６は、小直径内周部２２８、第１の端ぐり部２３０及び第２の端ぐり部２３２（図１０）によって画定されるのが良く、これら端ぐり部２３０，２３２は、半径方向に延びる壁２３４を画定している。カラー２１２は、軸方向に延びる壁２２０から第１の端２２２のところで軸方向に突き出た出張り２３６を更に有している。
【００１３】
全体として図８及び図１１〜図１３を参照すると、ロック２１４は、第１の端２４０と第２の端２４２（図８及び図１３）との間に延びている軸方向に延びた壁２３８（図１３）及び壁２３８から半径方向外方に延びている半径方向に延びた出張りフランジ２４４を有し、半径方向に延びている出張りフランジ２４４は、出張り用ポケット２４６を含む。ロック２１４は、カラー２１２の内周部２２８と協働するバレル外周部２４８（図１３）及びカラー２１２の第１の端ぐり部２３０と協働する肩外周部２５０（図１３）を更に有する。ロック２１４は、第２のロック端２４２に隣接して壁２３８に設けられたリテーナ溝２５２を更に有する。ロック２１４は、並進保持出張り２５４（図１２）及び回転保持出張り２５６を更に備え、並進保持出張り２５４は、回転保持出張り２５６相互間で周方向に設けられている。例えば、ロック２１４は、内面２５８を有し、出張り２５４，２５６は、この内面から内方に突き出ている。出張り２５４，２５６は、植込みボルト出張り受座２６０及びこれら受座相互間の半周方向植込みボルト出張り隙間通路２６２を構成している。２つの植込みボルト出張り受座２６０は、図４〜図６の植込みボルト１０６の２つの植込みボルト出張り１０７に対応しているが、任意適当な数の対応の受座２６０及び出張り１０７を設けることができる。
【００１４】
組み立てられた状態では、図１４を参照すると、ロック２１４は、カラー出張り２３６によってカラー２１２に回転可能に結合され、カラー出張り２３６は、ロック２１４の出張り用ポケット２４６内に軸方向に延びていて、これらの中で軸方向に動くことができる。回転保持出張り２５６は、植込みボルト１０６の半径方向丸み１１０内に配置されて植込みボルト１０６の半径方向端面１０８及び半径方向側面１０９と協働して植込みボルト１０６に対するナット２１０の回転に抵抗するようになっている。
【００１５】
図１５に示されているように、ばね２１６は、ロック２１４とカラー２１２を全体として互いに遠ざかる方向に付勢するようロック２１４の半径方向に延びるフランジ２４４とカラー２１２の半径方向に延びる壁２３４との間に配置されている。ばね２１６は又、ばね２１６の圧縮が行われない場合にバッフルマニホルドセグメント１０５に対するねじ山なしナット２１０の回転に抵抗するようねじ山なしナット２１０をバッフルマニホルドセグメント１０５に対して付勢する。ばね２１６は、波形ばねであるのが良い。例えば、ばね２１６は、イリノイ州レイク・チューリッヒ所在のスモーリー・スチール・リング・カンパニー（Smalley Steel Ring Company）から入手できるＣ２００‐Ｍ１波形ばねであるのが良い。任意他の適当な形式のばねを使用することができ、かかるばねとしては、コイルばね、エラストマーばね等が挙げられる。
【００１６】
また、図１５に示されているように、リテーナ２１８は、リテーナ２１８がカラー２１２の第２の端ぐり部２３２内に設けられてナット２１０の自由状態で半径方向に延びる壁２３４に係合するようロック２１４のリテーナ溝２５２内に配置されている。リテーナ２１８は、スナップリングであるのが良い。例えば、リテーナは、ニュージャージー州フィリップスバーグ所在のトゥルアーク・カンパニー・エルエルシー（Truarc Company LLC）から入手できるＭ２４００外部保持リングであるのが良い。別の実施形態では、リテーナ２１８は、ロック２１４の一体部分、例えば、カラー２１２、ロック２１４及びばね２１６の組み立て後に据込み加工されるのが良いフランジであっても良い。
【００１７】
図１４〜図１６を参照すると、カラー２１２の第２の端２２４は、表面、例えばバッフルアームカラー１０４の表面に支えられている。また、並進保持出張り２５４は、ナット２１０を植込みボルト１０６に軸方向に当接保持するよう植込みボルト出張り１０７の後ろに配置されている。さらに、回転ロック出張り２５６は、植込みボルト出張り１０７に隣接して配置されると共に植込みボルト出張り１０７の側面１０９と軸方向にオーバーラップしている。
【００１８】
ナット２１０を植込みボルト１０６から結合解除することが望ましい場合、ロック２１４をばね２１６により加えられる付勢力に抗してカラー２１２に向かって押す。最終的に、ロック２１４をカラー２１２に向かって変位させているとき、回転保持出張り２５６は、回転保持出張り２５６が植込みボルト出張り１０７に対して軸方向に動いて植込みボルト出張り１０７を軸方向に通過したとき、植込みボルト出張り１０７に対して回転可能に動くことができる状態になる。例えば、回転保持出張り２５６の頂面２６４は、植込みボルト出張り１０７の底面１１３を軸方向に通過し、それによりナット２１４を植込みボルト１０６に対して回転させることができる。図示の実施形態では、ナット２１０を約９０°回すと、植込みボルト出張り１０７は、出張り２５４，２５６相互間の植込みボルト出張り隙間通路２６２を通過することができ、その結果、ナット２１０を植込みボルト１０６から取り外すことができるようになる。
【００１９】
ナット２１０を元に戻すため、ナット２１０を植込みボルト１０６に装着して植込みボルト出張り１０７が出張り２５４，２５６相互間の植込みボルト出張り隙間通路２６２を通過するようにし、ナット２１０を前進させてバッフルアームカラー１０４に当て、その結果、ロック２１４がナットカラー２１２に押し付けられて回転保持出張り２５６の頂面２６４が植込みボルト出張り１０７の底面１１３を軸方向に通過するようにし、それによりナット２１０を植込みボルト１０６に対して回転させることができるようにする。図示の実施形態では、ナット２１０を約９０°回すと、並進保持出張り２５４は、植込みボルト出張り１０７の後ろに配置され、その結果、ロック２１４に加えられている圧縮力を除くと、ばね２１６は、ロック２１４を前進させてこれを植込みボルト出張り１０７に当て、それにより植込みボルト出張り１０７を出張り受座２６０内に嵌め込んでこれを並進保持出張り２５４に軸方向に当接させると共に回転保持出張り２５６相互間でこれらに周方向に当接させるようにする。
【００２０】
したがって、植込みボルト１０６への組み付け時に、カラー２１２は、ナット２１０の軸方向に静止し且つ周方向に回転可能な部材であり、これに対し、ロック２１４は、軸方向に並進可能であると共に周方向に回転可能であるナット２１０の一部材である。
【００２１】
図１７〜図３０は、本発明の別の例示の実施形態を示している。この実施形態は、図７〜図１６の実施形態と多くの点でほぼ同じであり、図１〜図６の例示の環境内で使用でき、これら実施形態に見られる同一の参照符号は、添付の図面の幾つかの図全体にわたって同一又は対応の要素を示している。したがって、共通の本発明の内容の大部分は、ここでは全体として繰り返されず、これら実施形態を参照により引用し、これらの説明を互いに組み込む。
【００２２】
次に図１７及び図１８を参照すると、ナット３１０は、主要構成要素として、カラー３１２及びカラー３１２によって任意適当な仕方で支持されたロック３１４を有する。例えば、ロック３１４は、回転的に固定されるが軸方向に動くことができる仕方でカラー３１２に結合されている。ナット３１０は、全体として円筒形の器具であるのが良く、カラー３１２及びロック３１４は、全体として円筒形の構成部品であるのが良い。
【００２３】
図１８に示されているように、ナット３１０は、カラー３１２とロック３１４を全体として互いに遠ざかる方向に付勢するばね３１６及びロック３１４をカラー３１２に当接保持するリテーナ３１８を更に有する。ナット３１０を組み立てるためには、ばね３１６をカラー３１２とロック３１４との間に配置し、ロック３１４をばね３１６及びカラー３１２に押し付け、ロック３１４を押し付けた状態でリテーナ３１８をカラー３１２に結合する。リテーナ３１８をいったんカラー３１２に結合すると、ロック３１４に加えられている圧縮力を除くのが良い。かくして、ナット３１０は、自蔵式組立体であるのが良い。
【００２４】
全体として図１８〜図２３を参照すると、カラー３１２は、第１の端３２２と第２の端３２４との間に延びている軸方向に延びた壁３２０、壁３２０によって包囲されていて、ロック３１４（図１８）の対応の部分と協働する内面３３２（図２２及び図２３）を備えた半径方向に延びる壁３２８（図２２及び図２３）によって画定された段付き通路３２６、ばね３１６のための端ぐり部３３０（図１８）及び内面３３２と端ぐり部３３０との間の肩３３４を有する。カラー３１２は、第１の端３２２に隣接して壁３２０に設けられたリテーナ溝３５２を更に有する。壁３２０は、リテーナ３１８の取り外しを助けるよう第１の端３２２に周方向に間隔を置いて設けられた交互に位置するスプライン加工部と開口部（図示せず）を有するのが良い。カラー３１２は、半径方向に延びる壁３２８から半径方向内方に延びる並進保持出張り３５４を更に有する。出張り３５４は、内面３３２から内方に突き出ていて、これら出張りは、半周方向に延び又は弧状であるのが良く且つパイロット部分３５３及び肩３３４を越えて軸方向に突き出た出張り係合部分３５５を含むよう段付きであるのが良い。
【００２５】
全体として図１８及び図２４〜図２６を参照すると、ロック３１４は、第１の端３４０と第２の端３４２との間に延びている軸方向に延びた壁３３８（図２６）を有する。ロック３１４は、半径方向に延びるフランジ３４４を更に有し、このフランジは、ばね３１６（図１８）と協働するよう軸方向に延びる壁３３８から半径方向外方に延びている。ロック３１４は、カラー３１２（図１８）の内周部３２８と協働するバレル外周部３４８及びカラー３１２（図１８）の端ぐり部３３０と協働するフランジ外周部３５０を更に有する。ロック３１４は、更に、カラー３１２に向かうロック３１４の手動押し込みを助ける半径方向に延びる壁３４１を有するのが良い。変形例として、壁３１４を省くと共に／或いは例えば第１の例示の実施形態のフランジとほぼ同じ半径方向外方に延びるフランジを設けても良い。ロック３１４は、回転ロック出張り３５６を更に備え、並進保持出張り３５４は、組み立ての際、回転保持出張り３５６相互間に周方向に配置されるのが良い。例えば、ロック３１４は、内面３５８を有し、出張り３５６は、この内面から内方に突き出る。図２６に最も良く示されているように、出張り３５６は、互いに約９０°の間隔を置いて設けられるのが良い側部３５５及び側部３５５相互間の丸み付きノーズ３５７を有する。出張り３５６は、第２の端３４２及び／又はフランジ３４４から軸方向に間隔を置いて配置されるのが良い。
【００２６】
図２７及び図２８を参照すると、ロック３１４は、カラー３１２の並進保持出張り３５４によってカラー３１２に回転可能に結合されており、これら並進保持出張り３５４は、ロック３１４の壁３３８の途切れ部内に且つロック３１４の回転ロック出張り３５６相互間に配置されていると共にこれら回転ロック出張りに対して軸方向に動くことができる。出張り３５４，３５６は、植込みボルト出張り受座３６０及びこれら相互間の植込みボルト出張り隙間通路３６２を構成している。図２８に示されているように、回転ロック出張り３５６は、植込みボルト１０６の丸み１１０内に設けられた状態で植込みボルト１０６に対するナット３１０の回転に抵抗するよう植込みボルト１０６の半径方向端面１０８及び半径方向側面１０９と協働する。図２９に示されているように、カラー３１２の第２の端３２４は、バッフルアームカラー１０４に当接して位置する。
【００２７】
図２９を参照すると、ばね３１６は、ロック３１４とカラー３１２を全体として互いに遠ざかる方向に付勢するようロック３１４のフランジ３４４とカラー３１２の半径方向に延びる壁３２０との間に配置されている。ばね３１６は又、ばね３１６の圧縮が行われない場合にバッフルマニホルドセグメント１０５に対するねじ山なしナット３１０の回転に抵抗するようねじ山なしナット３１０をバッフルマニホルドセグメント１０５に対して付勢する。ばね３１６は、波形ばねであるのが良い。例えば、このばねは、イリノイ州レイク・チューリッヒ所在のスモーリー・スチール・リング・カンパニーから入手できるＣ２００‐Ｌ３‐Ｍ１波形ばねであるのが良い。任意他の適当な形式のばねを使用することができ、かかるばねとしては、コイルばね、エラストマーばね等が挙げられる。
【００２８】
また、図２９に示されているように、リテーナ３１８は、リテーナ３１８が組み立ての際にロック３１４の半径方向に延びるフランジ３４４と協働するようカラー３１２のリテーナ溝３５２内に配置されている。リテーナ３１８は、スナップリングであるのが良い。例えば、リテーナ３１８は、ニュージャージー州フィリップスバーグ所在のトゥルアーク・カンパニー・エルエルシーから入手できるＭ２３００内部保持リングであるのが良い。別の実施形態では、リテーナ３１８は、カラー３１２の一体部分、例えば、カラー３１２、ロック３１４及びばね３１６の組み立て後に据込み加工されるのが良いフランジであっても良い。
【００２９】
図３０を参照すると、並進保持出張り３５４は、ナット３１０を植込みボルト１０６に軸方向に当接保持するよう植込みボルト出張り１０７の後ろに配置されている。また、パイロット部分３５３がセグメント１０５のパイロット周囲部１１４と協働する。図３１に示されているように、回転ロック出張り３５６は、植込みボルト出張り１０７に隣接して設けられていて、植込みボルト出張り１０７の側面１０９と軸方向にオーバーラップしている。
【００３０】
図３１を参照すると、ナット３１０を植込みボルト１０６から結合解除することが望ましい場合、ロック３１４をばね３１６により加えられる付勢力に抗してカラー３１２に向かって押す。最終的に、ロック３１４をカラー３１２に向かって変位させているとき、回転保持出張り３５６は、回転保持出張り３５６が植込みボルト出張り１０７に対して軸方向に動いて植込みボルト出張り１０７を軸方向に通過したとき、植込みボルト出張り１０７に対して回転可能に動くことができる状態になる。例えば、回転保持出張り３５６の頂面３６４は、植込みボルト出張り１０７の底面１１３を軸方向に通過し、それによりナット３１４を植込みボルト１０６に対して回転させることができる。図示の実施形態では、ナット３１０を約９０°回すと、植込みボルト出張り１０７は、出張り３５４，３５６相互間を通過することができる。したがって、ナット３１０を図３３に示されているように植込みボルト１０６から取り外すことができる。
【００３１】
ナット３１０を元に戻すため、ナット３１０を植込みボルト１０６に装着して植込みボルト出張り１０７が出張り３５４，３５６相互間を通過するようにし、ナット３１０を前進させてバッフルアームカラー１０４に当て、その結果、ロック３１４がナットカラー３１２に押し付けられて回転保持出張り３５６の頂面３６４が植込みボルト出張り１０７の底面１１３を軸方向に通過するようにし、それによりナット３１０を植込みボルト１０６に対して回転させることができるようにする。図示の実施形態では、ナット３１０を約９０°回すと、並進保持出張り３５４は、植込みボルト出張り１０７の後ろに配置される。次に、ロック３１４に加わっている圧縮力を除くと、ばね３１６は、ロック３１４を前進させてこれを植込みボルト出張り１０７に当接させて植込みボルト出張り１０７を回転ロック出張り３５６相互間で周方向に支え又は植込みボルト出張り１０７を回転ロック出張り３５６相互間に周方向に嵌め込むようになっている。
【００３２】
したがって、カラー３１２は、ナット３１０の軸方向に静止し且つ周方向に回転可能な部材であり、これに対し、ロック３１４は、軸方向に並進可能であると共に周方向に回転可能であるナット３１０の一部材である。
【００３３】
図１５と図３０の比較により、実施形態相互間の機能上の差が明らかになる。図１５に示されているように、バッフルマニホルド１０１のセグメント１０５が例えばマニホルド１０１とガラス製品成形機の別の部分との突然の係合又は係合解除に起因して軸方向に動くと、ロック２１４も又、カラー２１２に対して動くことになる。これは、ロック２１４とセグメント１０５との間に、植込みボルト出張り１０７に対する半径方向保持出張り（図示せず）の軸方向係合解除及び植込みボルト出張り１０７に対する半径方向保持出張り（図示せず）の周方向隙間の形成を可能にする空間Ｓが設けられているからである。かかる「遊び」は、多くの用途にとって許容できる場合がある。しかしながら、かかる遊びが望ましくない用途では、図３０に示されている実施形態が好ましい場合がある。
【００３４】
再び図３０を参照すると、セグメントパイロット周囲部１１４及び植込みボルト出張り１０７の軸方向表面相互間には、これら軸方向表面相互間における並進保持出張り３５４の係合及び係合解除を可能にするのにちょうど十分な軸方向間隔が設けられている。また、ロック３１４は、バッフルアーム１０２のカラー１０４に当接して配置されている。したがって、全ての意図及び目的に関し、ロック３１４は、ナットカラー３１２又はバッフルアームカラー１０４に対して動くことはない。
【００３５】
カラー２１２，３１２及びロック２１４，３１４を製作するのに、例えば、ブランクからの機械加工、ニヤネット若しくはインベストメント鋳造又は粉末金属成形加工を行うのが良い。カラー２１２及びロック３１４は、例えば、ロックウェルＣスケールで５８〜６２の硬度までイオン窒化処理されたＡＩＳＩ４１４０スチールで構成されるのが良い。カラー３１２及びロック３１４は、例えば、ロックウェルＣスケールで５４〜５８の硬度まで且つ約０．８ｍｍの深さまで浸炭されたＡＩＳＩ８６２０スチールで構成されるのが良い。カラー２１２，３１２及びロック２１４，３１４は、任意他の適当な方法で製造できると共に任意他の適当な材料で構成できる。
【００３６】
かくして、上述の目的及び狙いの全てを完全に満足させるねじ山なしナットが開示された。本発明を幾つかの例示の実施形態と関連して説明し、追加の改造例及び変形例について説明した。上述の説明を考慮すると、当業者であれば他の改造例及び変形例を容易に想到するであろう。例えば、バッフルアーム組立体１００は、本発明のねじ山なしナット２１０，３１０に用いられる数え切れないほど多くの考えられる環境のうちの１つの例示の環境を提供しているに過ぎない。ほんの幾つかの例としては、車両用出張りナット、給水栓注ぎ口ナット又は工具及びトルクモニタ手段の使用が望ましくない任意の用途が挙げられる。本発明は、添付の特許請求の範囲に記載された本発明の範囲に含まれるかかる全ての改造例及び変形例を含むものである。
【図１】
0005592940.tif 000002
【図２】
0005592940.tif 000003
【図３】
0005592940.tif 000004
【図４】
0005592940.tif 000005
【図５】
0005592940.tif 000006
【図６】
0005592940.tif 000007
【図７】
0005592940.tif 000008
【図８】
0005592940.tif 000009
【図９】
0005592940.tif 000010
【図１０】
0005592940.tif 000011
【図１１】
0005592940.tif 000012
【図１２】
0005592940.tif 000013
【図１３】
0005592940.tif 000014
【図１４】
0005592940.tif 000015
【図１５】
0005592940.tif 000016
【図１６】
0005592940.tif 000017
【図１７】
0005592940.tif 000018
【図１８】
0005592940.tif 000019
【図１９】
0005592940.tif 000020
【図２０】
0005592940.tif 000021
【図２１】
0005592940.tif 000022
【図２２】
0005592940.tif 000023
【図２３】
0005592940.tif 000024
【図２４】
0005592940.tif 000025
【図２５】
0005592940.tif 000026
【図２６】
0005592940.tif 000027
【図２７】
0005592940.tif 000028
【図２８】
0005592940.tif 000029
【図２９】
0005592940.tif 000030
【図３０】
0005592940.tif 000031
【図３１】
0005592940.tif 000032
【図３２】
0005592940.tif 000033
【図３３】
0005592940.tif 000034